(57)【要約】【課題】  複数の計測用アンプなどの接続作業が簡便な騒音測定装置、振動測定装置又は振動計測用アンプを提供する。【解決手段】  略直方体形状の筐体を形成する騒音測定装置、振動測定装置又は振動計測用アンプ１であって、筐体２と筐体２の左側面及び／又は右側面に接する他の筐体２とを互いに連結させる連結金具８を備え、この連結金具８は、台座１５とフック板１６からなり、筐体２の上面７に１本のねじ１７で固定され、筐体２を複数連結して使用する時と筐体２を単体で使用する時では連結金具８を、９０度方向を変えて固定するようにした。【選択図】        図４
2008292180.tif 000002
【特許請求の範囲】
【請求項１】
略直方体形状の筐体で形成された騒音測定装置、振動測定装置又は振動計測用アンプであって、前記筐体の正面と上面の境界に面取り部を形成し、この面取り部に、入力信号の大きさが測定レンジを超えたために内部回路が飽和している状態を知らせる過負荷表示用発光ダイオード（ＬＥＤ）を設けたことを特徴とする騒音測定装置、振動測定装置又は振動計測用アンプ。
【請求項２】
前記筐体の正面に、入力信号レベルに応じて上下方向に変動するバーグラフを表示する液晶表示部を設けた請求項１記載の騒音測定装置、振動測定装置又は振動計測用アンプ。
【請求項３】
前記筐体と前記筐体の左側面及び／又は右側面に接する他の筐体とを互いに連結させる連結金具を備え、この連結金具は、台座とフック板からなり、筐体の上面に１本のねじで固定され、筐体を複数連結して使用する時と筐体を単体で使用する時では連結金具を、９０度方向を変えて固定することを特徴とする請求項１又は２記載の騒音測定装置、振動測定装置又は振動計測用アンプ。
【請求項４】
前記筐体の底面には、４本のねじで固定されるコネクタカバーが設けられ、筐体を複数連結して使用する時には、コネクタカバーを半分ずらして隣同士の筐体の底面に固定する請求項１、２又は３記載の騒音測定装置、振動測定装置又は振動計測用アンプ。
【発明の詳細な説明】
【技術分野】
【０００１】
本発明は、単体又は連結で使用する騒音測定装置、振動測定装置又は振動計測用アンプに関する。
【背景技術】
【０００２】
従来、各種測定装置や計測用アンプなどでは、設定したレンジに対して、入力信号が適正な大きさであるか否かを表示灯である発光ダイオード（ＬＥＤ）で確認していた。更に、入力信号が大きいためレンジをオーバーした時には、発光ダイオード（ＬＥＤ）を点灯させて報知していた。
また、騒音測定や振動測定などにおいて、多チャンネルの測定が必要な場合には、複数の計測用アンプを設置していた。
【発明の開示】
【発明が解決しようとする課題】
【０００３】
しかし、従来の各種測定装置や計測用アンプなどにおいては、表示灯である発光ダイオード（ＬＥＤ）が筐体の正面に配置されているため、測定現場での測定装置の設置の仕方によっては、発光ダイオード（ＬＥＤ）の点灯状態が確認し難かった。
また、多チャンネルの測定が必要な場合に、複数の計測用アンプを接続する作業が煩雑で、段取りに多くの時間が掛かっていた。
【０００４】
本発明は、従来の技術が有するこのような問題点に鑑みてなされたものであり、その目的とするところは、入力信号の状態を確認し易く又複数の計測用アンプなどの接続作業が簡便な騒音測定装置、振動測定装置又は振動計測用アンプを提供しようとするものである。
【課題を解決するための手段】
【０００５】
上記課題を解決すべく請求項１に係る発明は、略直方体形状の筐体で形成された騒音測定装置、振動測定装置又は振動計測用アンプであって、前記筐体の正面と上面の境界に面取り部を形成し、この面取り部に、入力信号の大きさが測定レンジを超えたために内部回路が飽和している状態を知らせる過負荷表示用発光ダイオード（ＬＥＤ）を設けたものである。
【０００６】
請求項２に係る発明は、請求項１記載の騒音測定装置、振動測定装置又は振動計測用アンプにおいて、前記筐体の正面に、入力信号レベルに応じて上下方向に変動するバーグラフを表示する液晶表示部を設けたものである。
【０００７】
請求項３に係る発明は、請求項１又は２記載の騒音測定装置、振動測定装置又は振動計測用アンプにおいて、前記筐体と前記筐体の左側面及び／又は右側面に接する他の筐体とを互いに連結させる連結金具を備え、この連結金具は、台座とフック板からなり、筐体の上面に１本のねじで固定され、筐体を複数連結して使用する時と筐体を単体で使用する時では連結金具を、９０度方向を変えて固定するものである。
【０００８】
請求項４に係る発明は、請求項１、２又は３記載の騒音測定装置、振動測定装置又は振動計測用アンプにおいて、前記筐体の底面には、４本のねじで固定されるコネクタカバーが設けられ、筐体を複数連結して使用する時には、コネクタカバーを半分ずらして隣同士の筐体の底面に固定するものである。
【発明の効果】
【０００９】
請求項１に係る発明によれば、筐体の正面と上面の境界に面取り部を形成し、そこに過負荷表示用発光ダイオード（ＬＥＤ）を設けたので、点灯状態を視認できる角度が広くなる。例えば、自動車の助手席の床に測定装置などを置いた場合でも、レンジが適正であるか否かの確認がし易い。
【００１０】
請求項２に係る発明によれば、バーグラフを表示により、入力レベルの変化が確認できるので、測定状態を把握し易い。
【００１１】
請求項３に係る発明によれば、筐体を連結使用する場合と単体使用する場合に、連結金具の向きを９０度変えるだけで、切り換えることができるので、連結作業が容易である。また、単体使用時には、連結金具が筐体から出っ張ることがないので、邪魔にならない。各筐体を横に並べて連結することで、ＬＥＤや液晶表示部を一見して確認することができる。
【００１２】
請求項４に係る発明によれば、筐体を複数連結して使用する時には、コネクタカバーを半分ずらして隣同士の筐体の底面に固定するだけなので、連結作業が容易である。
【発明を実施するための最良の形態】
【００１３】
以下に本発明の実施の形態を添付図面に基づいて説明する。ここで、図１は本発明に係る振動計測用アンプの斜視図、図２は連結金具の平面図（ａ）と側面図（ｂ）、図３は振動計測用アンプの連結使用時（３台）の底面図、図４は振動計測用アンプの連結使用時（３台）の斜視図、図５は騒音測定装置と振動測定装置と振動計測用アンプの連結使用時（３台）の斜視図である。
【００１４】
本発明に係る振動計測用アンプ１は、図１に示すように、筐体２の正面３に液晶表示部４や操作パネル５やピックアップを接続する２つの端子（コネクタ）６が設けられ、上面７に連結金具８が２つ設けられている。正面３と上面７の境界には、面取り部９が形成され、面取り部９に過負荷表示用発光ダイオード（ＬＥＤ）１０が２つ（２チャンネル分）設けられている。コネクタ６には、加速度ピックアップ（不図示）が接続される。
【００１５】
液晶表示部４には、入力信号レベルに応じて上下方向に変動するバーグラフや各種の設定条件などが表示され、操作パネル５には、２チャンネル分のレンジキー１１などのキーが配置されている。また、筐体２の底面１２には、コネクタカバー１３が４本のねじで固定されている。
【００１６】
連結金具８は、図２に示すように、辺の長さが筐体２の幅とほぼ同じ正方形の台座１５と、短辺が台座１５の辺より短く長辺が台座１５の辺と同じ長さの長方形で台座１５と一体に形成されているフック板１６と、これら１５，１６を筐体２に固定するねじ１７からなる。なお、台座１５とフック板１６は一体でなくてもよい。台座１５とフック板１６は、夫々の面をずらして接合した状態になっており、台座１５の上面縁部には、フック板１６の短辺より少し長い溝１８が互いに直交する方向に２つ形成されている。
【００１７】
また、台座１５から突出したフック板１６の短辺には、フック１６ａが形成されている。フック１６ａは溝１８に係合する形状になっている。台座１５は、筐体２の上面７の長手方向の両端に形成された凹部７ａに嵌まり、ねじ１７で固定されている。１９は振動計測用アンプ１の単体使用時にフック１６ａが収まる収納部である。
【００１８】
振動計測用アンプ１を単体で使用する場合には、フック１６ａを収納部１９に収めた状態で、連結金具８に形成された貫通孔８ａにねじ１７を通し、このねじ１７を筐体２の上面７に形成された凹部７ａのねじ穴（不図示）に螺合する。すると、連結金具８は筐体２の上面７などから突出しないため、作業の邪魔にならない。
【００１９】
次いで、振動計測用アンプ１のコネクタ６にケーブル２０を介して加速度ピックアップを接続し、背面の各チャンネルのコネクタにケーブル２１を介して記録計（不図示）を接続する。更に、電源を投入し、操作パネル５により振動計測用アンプ１の各種測定条件の設定を行う。そして、測定を開始すると、加速度ピックアップの受けた振動の大きさに応じて、液晶表示部４に表示されるバーグラフが変化するので、入力レベルの変化が確認し易い。
【００２０】
また、設定したレンジに対し、加速度ピックアップからの信号が大きい場合には、回路内部の増幅器が飽和し、そのチャンネルの過負荷表示用発光ダイオード（ＬＥＤ）１０が点灯する。この場合、レンジ切替ボタンでレンジを変更するが、過負荷表示用発光ダイオード（ＬＥＤ）１０が正面３と上面７の境界に形成される面取り部９に設けられているので、視認し易い。
【００２１】
次に、振動計測用アンプ１を３台連結して使用する場合には、先ず各振動計測用アンプ１の筐体２の底面１２に設けたコネクタカバー１３を、４本のねじを外して取り外す。コネクタカバー１３を取り外した底面１２には、電源入力コネクタ（不図示）と電源出力コネクタ（不図示）が左右に並んで配置されている。
【００２２】
次いで、端の１台の振動計測用アンプ１を除いて、その他の振動計測用アンプ１の連結金具８を、ねじ１７を外して取り外す。そして、３台の振動計測用アンプ１を並べて、電源出力コネクタを隣の振動計測用アンプ１の電源入力コネクタに電源供給ケーブル（不図示）で接続する。
【００２３】
また、図３に示すように、隣同士の振動計測用アンプ１を連結するために、コネクタカバー１３を半分ずらして隣同士の振動計測用アンプ１に跨る状態にする。そして、電源供給ケーブルを覆うように、コネクタカバー１３を４本のねじ１４で筐体２の底面１２に固定する。両端には幅が半分のコネクタカバー１３ａを２本のねじ１４で取り付ける。
【００２４】
更に、図４に示すように、端から２台の振動計測用アンプ１の連結金具８を、９０度向きを変えて、フック１６ａを隣の振動計測用アンプ１の溝１８に係合させる。その状態で、ねじ１７を貫通孔８ａに通し、連結金具８を、凹部７ａにねじ止めして固定する。すると、３台の振動計測用アンプ１は、機械的にも電気的にも接続される。一番端の振動計測用アンプ１から連結金具８のフック１６ａがはみ出すことも無い。
【００２５】
そして、振動計測用アンプ１の単体使用時と同様に、振動計測用アンプ１のコネクタ６にケーブル２０を介して加速度ピックアップを接続し、背面の各チャンネルのコネクタにケーブル２１を介して記録計を接続する。各種測定条件を設定後、測定を開始すると、加速度ピックアップの振動に応じて、液晶表示部４に表示されるバーグラフが変化するので、一見して６チャンネルの入力レベルの変化を容易に確認できる。
【００２６】
また、振動計測用アンプ１の単体使用時と同様に、設定したレンジに対し、加速度ピックアップからの信号が大きい場合には、回路内部の増幅器が飽和し、そのチャンネルの過負荷表示用発光ダイオード（ＬＥＤ）１０が点灯する。この場合、レンジ切替ボタンでレンジを変更するが、過負荷表示用発光ダイオード（ＬＥＤ）１０が正面３と上面７の境界に形成される面取り部９に設けられているので、過負荷表示用発光ダイオード１０が横一列に並び、どのチャンネルが飽和しているかが一見してわかる。
【００２７】
本発明の実施の形態では、振動計測用アンプ１について、単体使用と連結使用（３台）について説明したが、連結の数は３台に限らず、使用目的に応じて何台連結させても構わない。また、騒音測定装置及び振動測定装置についても、振動計測用アンプ１と同様の作用効果を奏する。図５は騒音測定装置２５と振動測定装置２６と振動計測用アンプ１を連結した使用状態を示す。使用目的に応じて、これらの装置を任意に組合せることができる。
【産業上の利用可能性】
【００２８】
本発明によれば、面取り部に過負荷表示用発光ダイオード（ＬＥＤ）を設けたことにより、点灯状態を視認できる角度が広くなり、レンジが適正であるか否かの確認がし易く、またバーグラフ表示により入力レベルの変化状態が把握し易い。また、向きを９０度変えるだけで済む連結金具と、半分ずらして隣同士の筐体の底面に固定するコネクタカバーの採用により、単体使用と連結使用の切替作業が容易なので、操作性が向上し、利用拡大が期待される。
【図面の簡単な説明】
【００２９】
【図１】本発明に係る振動計測用アンプの斜視図
【図２】連結金具の平面図（ａ）と側面図（ｂ）
【図３】振動計測用アンプの連結使用時（３台）の底面図
【図４】振動計測用アンプの連結使用時（３台）の斜視図
【図５】騒音測定装置と振動測定装置と振動計測用アンプの連結使用時（３台）の斜視図
【符号の説明】
【００３０】
１…振動計測用アンプ、２…筐体、３…正面、４…液晶表示部、７…上面、８…連結金具、９…面取り部、１０…過負荷表示用発光ダイオード（ＬＥＤ）、１２…底面、１３，１３ａ…コネクタカバー、１４，１７…ねじ、１５…台座、１６…フック板、１６ａ…フック、１８…溝、２５…騒音測定装置、２６…振動測定装置。
【図１】
2008292180.tif 000003
【図２】
2008292180.tif 000004
【図３】
2008292180.tif 000005
【図４】
2008292180.tif 000006
【図５】
2008292180.tif 000007